(57)【要約】【課題】  操作部の中央に配置された決定キーを斜め方向に押下すると、使用者が意図しない項目に対して決定キーを押下してしまう誤操作が発生し得る。【解決手段】  携帯電話機のポインティングデバイス部の操作部２０１のスイッチ部２０３との接触部２０２を、スイッチ部２０３が搭載される基板２０５、筐体１０４の各表面に対して、水平方向から適切な角度をつけて設置している。すなわち、接触部２０２の接触面は、基板２０５の表面に対して傾斜して形成されている。これにより、操作部２０１を斜め方向から押下した時の垂直方向からのずれた荷重に対して、水平方向への移動量を抑えることが可能となり、用者が意図しない項目に対して決定キーを押下してしまう誤操作を大幅に低減できる。【選択図】            図２
2005250595.tif 000002
【特許請求の範囲】
【請求項１】
筐体の表面に対して平行な水平方向に移動可能で、かつ、垂直方向に押下可能な操作部を有するポインティングデバイス部を、前記筐体に設けた携帯端末において、
前記操作部の前記水平方向の移動量を検出するセンサ部と、
前記操作部と連動して移動又は押下される接触部と、
前記操作部の押下時に前記接触部と接触することにより、前記操作部の押下を検出するスイッチ部と
を有し、前記接触部は、前記スイッチ部に対向する接触部分が、前記スイッチ部の表面に対して傾斜した平面形状に形成されていることを特徴とする携帯端末。
【請求項２】
前記携帯端末は、各種情報を表示する表示部と、前記操作部の移動により前記表示部に表示されているカーソルを移動し、前記操作部の垂直方向の押下により前記カーソルが前記表示部において指示する情報内容を決定する移動・決定手段を備えたことを特徴とする請求項１記載の携帯端末。
【請求項３】
前記移動・決定手段は、前記センサ部により検出された前記操作部の移動量が規定値以上のときにのみ移動を検出することを特徴とする請求項２記載の携帯端末。
【請求項４】
前記接触部は、前記スイッチ部に対向する接触部分が、前記スイッチ部の表面に対して複数方向から傾斜した複数の傾斜面を有する平面形状に形成されていることを特徴とする請求項１記載の携帯端末。
【請求項５】
前記操作部の前記垂直方向の押下時の移動距離が、既存の携帯端末の移動距離とほぼ同等となるように、前記接触部と前記スイッチ部の間の距離及び前記接触部の形状が設定されていることを特徴とする請求項１乃至４のうちいずれか一項記載の携帯端末。
【請求項６】
前記携帯端末は、前記ポインティングデバイス部がキー配列部と同じ筐体に設けられた携帯電話機であることを特徴とする請求項１乃至５のうちいずれか一項記載の携帯端末。
【発明の詳細な説明】
【技術分野】
【０００１】
本発明は携帯端末に係り、特にスライド式のポインティングデバイス部を有し、そのポインティングデバイス部中央に押下式の決定キーが配置されている携帯端末に関する。
【背景技術】
【０００２】
携帯電話機等の携帯端末では、端末の小型化・軽量化の要請から操作部が小面積に限定されているため、操作部には小型で多入力操作ができる座標入力装置が用いられる（例えば、特許文献１参照）。この特許文献１記載の座標入力装置は、水平方向にスライド移動可能で、また垂直方向にも移動可能な可動電極を有し、可動電極を水平方向にスライドさせたときには可動電極のスライド移動方向及び移動量を検出し、可動電極を垂直方向に移動させたときにはスイッチ回路の接点切替を行う構成としたものである。
【０００３】
このような座標入力装置を携帯電話機に適用した場合、例えば、図５に示すように、携帯電話機の筐体上面５００にスライド式のポインティングデバイス部５０１として設けられる。このポインティングデバイス部５０１は、図５の紙面に平行方向にスライド可能であり、また、その中央に紙面に対して垂直方向に押下可能な構成である。
【０００４】
図６はこのポインティングデバイス部５０１の一例の概略構成図を示す。同図において、ポインティングデバイス部５０１は、水平方向と垂直方向に移動可能な操作部５０２と、操作部５０２の移動と連動する接触部５０３と、基板５０５上に設けられたスイッチ部５０４と、センサ部５０６とから構成されている。
【０００５】
このポインティングデバイス部５０１は、水平方向に操作部５０２をスライドさせると、その移動距離をセンサ部５０６が検出することにより、カーソルの移動等に使用される。また操作部５０２を垂直方向（ｙ方向）に押下すると、接触部５０３も同方向に押下してスイッチ部５０４に接触してスイッチ部５０４がオンされ、項目の決定等に使用される決定キーとして動作する。
【０００６】
【特許文献１】特開２００３−８４９１６号公報
【発明の開示】
【発明が解決しようとする課題】
【０００７】
しかるに、ポインティングデバイス部５０１を操作する際は、図５に示すように親指５０８で操作部５０２をスライドさせて使用することが多い。このような操作を行う特性上、操作部５０２の中央に配置された決定キーを押下する際に、意図せずに垂直方向よりやや上方向（図５中の矢印方向）に力が入ることが起こり得る。この力による操作部５０２の水平方向の移動はカーソル移動に使用されるため、使用者が意図しない項目に対して決定キーを押下してしまう誤操作が発生し得る。
【０００８】
すなわち、図６において、基板５０５に対して上記の力により垂直方向からずれて（図６中のｆ方向に）操作部５０２を斜め方向に押下した場合には、操作部５０２の押下に伴い斜め方向に押下される接触部５０３がスイッチ部５０４に接触するまでに、水平方向に操作部５０２が若干スライドして基板５０５に対して水平方向の移動距離ｘ”の移動量がセンサ部５０６にて検出されるため、この移動距離ｘ”が規定量未満の場合には、カーソルの移動は行われないが、移動距離ｘ”が規定量を超過した場合には、カーソルの移動が行われる。この場合には、選択した項目からずれて決定キーを押下してしまう誤操作が発生し得る。
【０００９】
本発明は上記の点に鑑みなされたもので、搭載されているスライド式のポインティングデバイス部の中央に配置された押下式の決定キー押下の際に加わる垂直方向以外の荷重に対して、水平方向の移動量を極力低減させることにより、決定キー押下の際に意図しない項目を選択してしまう誤操作を防止あるいは軽減し得る携帯端末を提供することを目的とする。
【００１０】
また、本発明の他の目的は、搭載されているポインティングデバイス部の中央に配置された決定キーの押下と連動する接触部とそれに対向するスイッチとの対面角度を水平から適切な角度をつけて配置することにより、決定キー押下時のカーソルずれを軽減し得る携帯端末を提供することにある。
【課題を解決するための手段】
【００１１】
上記の目的を達成するため、本発明は、筐体の表面に対して平行な水平方向に移動可能で、かつ、垂直方向に押下可能な操作部を有するポインティングデバイス部を、筐体に設けた携帯端末において、操作部の水平方向の移動量を検出するセンサ部と、操作部と連動して移動又は押下される接触部と、操作部の押下時に接触部と接触することにより、操作部の押下を検出するスイッチ部とを有し、接触部は、スイッチ部に対向する接触部分が、スイッチ部の表面に対して傾斜した平面形状に形成されていることを特徴とする。
【００１２】
この発明では、接触部のスイッチ部に対向する接触部分が、スイッチ部の表面に対して傾斜した平面形状に形成されているため、操作部が斜め方向に押下され、それに伴い接触部も斜め方向に押下された場合に、接触部がスイッチ部に接触するまでの間の水平方向の移動量を、上記接触部分をスイッチ部の表面に対して平行とした場合に比し小さくできる。
【００１３】
ここで、上記の携帯端末は、各種情報を表示する表示部と、操作部の移動により表示部に表示されているカーソルを移動し、操作部の垂直方向の押下によりカーソルが表示部において指示する情報内容を決定する移動・決定手段を備えたことを特徴とする。
【００１４】
また、上記の移動・決定手段は、センサ部により検出された操作部の移動量が規定値以上のときにのみ移動を検出することを特徴とする。
【００１５】
また、上記に目的を達成するため、本発明は、上記の接触部を、スイッチ部に対向する接触部分が、スイッチ部の表面に対して複数方向から傾斜した複数の傾斜面を有する平面形状に形成されていることを特徴とする。この発明では、スイッチ部に対向する接触部分が、スイッチ部の表面に対して複数方向から傾斜した複数の傾斜面を有する平面形状に形成されているため、操作部が斜め方向に押下され、それに伴い接触部も斜め方向に押下された場合に、接触部がスイッチ部に接触するまでの間の水平方向の移動量を、上記接触部分をスイッチ部の表面に対して平行とした場合に比し小さくできることを、一方向だけでなく、多方向からの押下に対して実現できる。
【００１６】
また、上記の目的を達成するため、本発明は操作部の垂直方向の押下時の移動距離が、既存の携帯端末の移動距離とほぼ同等となるように、接触部とスイッチ部の間の距離及び接触部の形状が設定されていることを特徴とする。ここで、携帯端末は、ポインティングデバイス部がキー配列部と同じ筐体に設けられた携帯電話機であってもよい。
【発明の効果】
【００１７】
本発明によれば、接触部のスイッチ部に対向する接触部分が、スイッチ部の表面に対して傾斜した平面形状に形成されており、操作部が斜め方向に押下され、それに伴い接触部も斜め方向に押下された場合に、接触部がスイッチ部に接触するまでの間の水平方向の移動量を、上記接触部分をスイッチ部の表面に対して平行とした場合に比し小さくできるため、操作部の斜め方向への荷重に対して水平方向の移動量を抑え、誤操作を防止することができる。
【００１８】
また、本発明によれば、接触部を、スイッチ部に対向する接触部分が、スイッチ部の表面に対して複数方向から傾斜した複数の傾斜面を有する平面形状に形成されているようにしたため、操作部の斜め方向への荷重が一方向だけでなく、複数の方向に対して水平方向の移動量を抑え、より一層、誤操作を防止することができる。
【００１９】
更に、本発明によれば、各種情報を表示する表示部と、操作部の移動により表示部に表示されているカーソルを移動し、操作部の垂直方向の押下によりカーソルが表示部において指示する情報内容を決定する移動・決定手段を備えた携帯端末に適用するようにしたため、決定キー押下の際に、カーソル移動による誤操作を防止することができる。
【発明を実施するための最良の形態】
【００２０】
次に、本発明の実施の形態について図面と共に説明する。図１は本発明になる携帯端末の一実施の形態の外観図を示す。同図に示す実施の形態は携帯電話機１００であり、筐体１０１には表示部１０２と受話音声発音用スピーカ１０３とが設けられ、筐体１０４には複数の数字キー（ボタン）等からなるキー配列部１０５と、ポインティングデバイス部１０６と、送話音声収音用マイク１０７などが設けられている。
【００２１】
表示部１０２は液晶パネル等の表示デバイスにより、各種情報の表示を行う。キー配列部１０５は、携帯電話機１００の通話や文字入力等の操作に使用するための数字キー等から構成され、発着呼、電源操作等を主に行う。ポインティングデバイス部１０６は、使用者の操作により、筐体１０４の表面に対して水平方向に可動し（スライドし）、その移動量により表示部１０２に表示されたカーソル１０８を移動することに使用され、メニュー項目の選択等に使用する。ポインティングデバイス１０６の中央部には、押下式のスイッチが決定キーとして設けられ、筐体１０４の表面に対して垂直方向に押下することにより項目の決定等を行う。
【００２２】
図２は図１中のポインティングデバイス部１０６の一実施の形態の構成図を示す。同図中、図１と同一構成部分には同一符号を付してある。図２において、ポインティングデバイス部１０６は、筐体１０４の表面に対して水平方向と垂直方向に移動可能な操作部２０１と、操作部２０１の移動と連動する接触部２０２と、基板２０５上に設けられたスイッチ部２０３と、センサ部２０４とから構成されている。なお、操作部２０１は図１に示したポインティングデバイス部１０６の中央の黒丸部分に相当し、操作部２０１の周辺の筐体１０４の上面よりも低い部分２０８は図１において上記黒丸部分を囲む大径の円形部分に相当する。
【００２３】
ここで、操作部２０１を筐体１０４の表面に対して平行な水平方向にスライドさせた場合に、センサ部２０４がその移動量を検出する。センサ部２０４には、磁力を検出するホールＩＣ等が使用され、当業者にとってよく知られており、また本発明とは直接関係しないので、その詳細な構成は省略する。センサ部２０４によって検出された移動量はカーソル移動の情報として利用される。
【００２４】
スイッチ部２０３は、操作部２０１を筐体１０４の表面に対して垂直方向に押下することにより、操作部２０１と連動して押下される接触部２０２と接触することによりオンとなるスイッチで、主に決定キーとして利用される。フレーム２０６は、操作部２０１を支えると共に、その移動範囲を規定する。
【００２５】
本実施の形態では、操作部２０１のスイッチ部２０３との接触部２０２を、スイッチ部２０３が搭載される基板２０５、筐体１０４の各表面に対して、水平方向から適切な角度をつけて設置している。すなわち、接触部２０２の接触面は、基板２０５の表面に対して傾斜して形成されている。これにより、後述するように、決定キー押下時の垂直方向からのずれた荷重に対して、水平方向への移動量を抑えることが可能となる。
【００２６】
次に、本実施の形態の動作について、図３と共に説明する。図３中、図２と同一構成部分には同一符号を付し、その説明を省略する。本実施の形態の基本的な動作としては、図６に示した従来のポインティングデバイスと相違ないものとする。図３において、接触部２０２は、基板１０４及び２０５の表面に平行な水平方向に対して、適切な角度をつけて、設置されている。
【００２７】
このため、前述した図５に示した力により基板１０４の表面に対して垂直方向からずれて（図３中のｆ方向に）操作部２０１を斜め方向に押下した場合には、操作部２０１の押下に伴い斜め方向に押下される接触部２０２がスイッチ部２０３に接触するまでに、水平方向に操作部２０１が若干スライドして基板１０４及び２０５の表面に平行な水平方向の移動距離ｘ’の移動量がセンサ部２０４にて検出されるが、その移動距離ｘ’は、前記力が従来と同程度の場合は、図６に示した従来の移動距離ｘ”に比べて小さいため、この移動距離ｘ’が規定量未満となる確率が大幅に増加する。この移動距離の抑制効果により、決定キー押下時のカーソル移動による誤操作を従来に比べて大幅に低減又は除去することができる。
【００２８】
なお、接触部２０２の形状は、操作部２０１を基板１０４及び２０５の表面に対して垂直方向（ｙ軸方向）に真っ直ぐ押下された場合の移動距離が従来と大きく変わらないような形状とされており、操作感を従来と大きく異なることがないようにされている。
【００２９】
次に、本発明の他の実施の形態について説明する。図４は本発明になる携帯端末の要部であるポインティングデバイス部の他の実施の形態の構成図を示す。同図中、図３と同一構成部分には同一符号を付し、その説明を省略する。図４において、操作部２０１と連動して移動する接触部３０１は、例えばその接触面が、基板２０５の表面に対して多方向から傾斜して形成されている。すなわち、接触部３０１のスイッチ部２０３と対向する接触面は、平面形状が操作部２０１と同一の円形であるが、最外周から中心部にかけて、中心部の方が低くなるような傾斜が複数形成された構成である。
【００３０】
本実施の形態によれば、操作部２０１を斜め方向に押下した場合に、センサ部２０４にて検出される水平方向の移動距離は、押下した斜め方向に応じてｘ１’あるいはｘｎ’で示され、それらの移動量は従来の移動量に比べて少ないため、一定方向だけではなく多方向において、決定キー押下の際の水平方向の移動量を低減することが可能となる。
【００３１】
なお、本発明は以上の実施の形態に限定されるものではなく、例えば、携帯電話機以外のノートパソコンその他の携帯型の情報端末など、カーソルを操作部の水平方向の移動により移動させ、カーソル位置の内容を垂直方向の押下により決定するポインティングデバイス部を備えたすべての携帯端末に本発明を適用することができる。
【図面の簡単な説明】
【００３２】
【図１】本発明の一実施の形態の外観図である。
【図２】図１中のポインティングデバイス部の一実施の形態の構成図である。
【図３】図１の実施の形態におけるポインティングデバイス部の動作説明図である。
【図４】本発明の要部の他の実施の形態の構成図である。
【図５】ポインティングデバイス部の操作の一例の説明図である。
【図６】従来端末におけるポインティングデバイス部の一例の構成図である。
【符号の説明】
【００３３】
１００  携帯電話機
１０１、１０４  筐体
１０２  表示部
１０５  キー配列部
１０６  ポインティングデバイス部
１０８  カーソル
２０１  操作部
２０２、３０１  接触部
２０３  スイッチ部
２０４  センサ部
【図１】
2005250595.tif 000003
【図２】
2005250595.tif 000004
【図３】
2005250595.tif 000005
【図４】
2005250595.tif 000006
【図５】
2005250595.tif 000007
【図６】
2005250595.tif 000008